(57)【要約】【課題】フローセンサへの通電における無駄をなくし、電池交換等の手間も少なくすることができる燃焼装置を提供する。【解決手段】給湯メインバーナと、該給湯メインバーナにより加熱される給湯熱交換器と、該給湯熱交換器により加熱された湯を給湯先に導出する給湯通路と、該給湯通路に導入される湯水の流量を検出するフローセンサ６を設け、給湯先に設けられている給湯栓が開かれることにより生じる給湯通路内の流水による圧力変動を利用して開動作を行う水圧応動ガス弁（水圧自動ガス弁）を、給湯メインバーナに供給される燃料ガスの通路に介設する。水圧応動ガス弁にはその開弁位置でオンし、閉弁位置でオフするスイッチセンサの水圧自動ガス弁スイッチ５１を設け、例えば水圧自動ガス弁スイッチ５１がオフからオンに切り替わったときに、フローセンサ６への通電を開始する。【選択図】図１
2012102975.tif 000002
【特許請求の範囲】
【請求項１】
給湯メインバーナと、該給湯メインバーナにより加熱される給湯熱交換器と、該給湯熱交換器により加熱された湯を給湯先に導出する給湯通路と、該給湯通路に導入される湯水の流量を検出するフローセンサとを有し、前記給湯先に設けられている給湯栓が開かれることにより生じる前記給湯通路内の流水による圧力変動を利用して開動作を行う水圧応動ガス弁が前記給湯メインバーナに供給される燃料ガスの通路に介設され、前記水圧応動ガス弁には該水圧応動ガス弁の開弁位置でオンし該水圧応動ガス弁の閉弁位置でオフするスイッチセンサが設けられており、該スイッチセンサがオフからオンに切り替わったときに前記フローセンサへの通電を開始するフローセンサ通電制御手段を設けたことを特徴とする燃焼装置。
【請求項２】
手動により操作される器具栓を有して、該器具栓の操作位置が給湯位置に操作されていることを検出する器具栓給湯位置検出手段を有し、フローセンサ通電制御手段は、前記器具栓給湯位置検出手段により器具栓の操作位置が給湯位置に操作されていることが検出され、かつ、水圧応動ガス弁に設けられたスイッチセンサがオフからオンに切り替わったときに前記フローセンサへの通電を開始することを特徴とする請求項１記載の燃焼装置。
【請求項３】
給湯メインバーナと、該給湯メインバーナにより加熱される給湯熱交換器と、該給湯熱交換器により加熱された湯を給湯先に導出する給湯通路と、該給湯通路に導入される湯水の流量を検出するフローセンサとを有し、前記給湯先に設けられている給湯栓が開かれたときに前記給湯通路内が低圧力になることに対応して開閉動作を行う水圧応動ガス弁が前記給湯メインバーナに供給される燃料ガスの通路に介設され、前記水圧応動ガス弁には該水圧応動ガス弁の開弁位置でオンし該水圧応動ガス弁の閉弁位置でオフするスイッチセンサが設けられており、該スイッチセンサがオンからオフに切り替わったときに前記フローセンサへの通電を開始するフローセンサ通電制御手段を設けたことを特徴とする燃焼装置。
【請求項４】
手動により操作される器具栓を有して、該器具栓の操作位置が給湯位置に操作されていることを検出する器具栓給湯位置検出手段を有し、フローセンサ通電制御手段は、前記器具栓給湯位置検出手段により器具栓の操作位置が給湯位置に操作されていることが検出され、かつ、水圧応動ガス弁に設けられたスイッチセンサがオンからオフに切り替わったときに前記フローセンサへの通電を開始することを特徴とする請求項３記載の燃焼装置。
【請求項５】
給湯メインバーナと、該給湯メインバーナにより加熱される給湯熱交換器と、該給湯熱交換器により加熱された湯を給湯先に導出する給湯通路と、該給湯通路に導入される湯水の流量を検出するフローセンサと、前記給湯メインバーナの火炎を検出する給湯火炎検出手段とを有し、該給湯火炎検出手段により前記給湯メインバーナの火炎が検出されたときに前記フローセンサへの通電を開始するフローセンサ通電制御手段を設けたことを特徴とする燃焼装置。
【請求項６】
フローセンサ通電制御手段は、フローセンサへの通電を開始してから該フローセンサへの通電を間欠的に行うことを特徴とする請求項１乃至請求項５のいずれか一つに記載の燃焼装置。
【請求項７】
給湯メインバーナと、該給湯メインバーナにより加熱される給湯熱交換器と、該給湯熱交換器により加熱された湯を給湯先に導出する給湯通路と、該給湯通路に導入される湯水の流量を検出するフローセンサと、手動により操作される器具栓とを有し、該器具栓の操作位置が給湯位置に操作されていることを検出する器具栓給湯位置検出手段を有して、該器具栓給湯位置検出手段により器具栓の操作位置が給湯位置に操作されていることが検出されたときに前記フローセンサへの通電を開始するフローセンサ通電制御手段を設けたことを特徴とする燃焼装置。
【請求項８】
風呂の追い焚き用の風呂メインバーナを有して、器具栓の操作位置が前記風呂メインバーナの追い焚き位置に操作されているときには前記風呂メインバーナの追い焚き燃焼が行われ、かつ、前記器具栓の操作位置が前記風呂メインバーナの追い焚き位置に操作されているときに前記給湯栓が開かれたときには給湯メインバーナの燃焼も行われる同時燃焼機能を有し、前記器具栓の操作位置が前記風呂メインバーナの追い焚き位置に操作されていることを検出する器具栓追い焚き位置検出手段を有し、フローセンサ通電制御手段は前記器具栓追い焚き位置検出手段により器具栓の操作位置が追い焚き位置に操作されていることが検出されたときにもフローセンサへの通電を行うことを特徴とする請求項７記載の燃焼装置。
【請求項９】
給湯メインバーナの火炎を検出する給湯火炎検出手段を有し、フローセンサの検出流量が予め定められたセンサオフ流量以下になってから予め定められた設定時間経過後に前記給湯火炎検出手段により前記給湯メインバーナの火炎が検出されなかったときには、フローセンサ通電制御手段はフローセンサへの通電を停止することを特徴とする請求項１乃至請求項６のいずれか一つに記載の燃焼装置。
【請求項１０】
給湯メインバーナの火炎を検出する給湯火炎検出手段を有し、フローセンサの検出流量が予め定められたセンサオフ流量以下になってからその状態が予め定められた設定時間経過したときに前記給湯火炎検出手段により前記給湯メインバーナの火炎が検出されたときには該給湯メインバーナの燃焼を強制的に停止する燃焼強制停止手段を有し、フローセンサ通電制御手段は前記燃焼強制停止手段による前記給湯メインバーナの燃焼停止後にフローセンサへの通電を停止することを特徴とする請求項１乃至請求項６のいずれか一つに記載の燃焼装置。
【請求項１１】
給湯メインバーナの火炎を検出する給湯火炎検出手段を有し、フローセンサ通電制御手段は、フローセンサの検出流量が予め定められたセンサオフ流量以下になったときに前記給湯火炎検出手段により前記給湯メインバーナの火炎が検出されたときには、それ以降の前記フローセンサへの通電を連続的に行う構成とし、前記フローセンサの検出流量が予め定められたセンサオフ流量以下になってからからその状態が予め定められた設定時間経過したときに前記給湯火炎検出手段により前記給湯メインバーナの火炎が検出されたときには前記給湯メインバーナの燃焼を強制的に停止する燃焼強制停止手段を有して、該燃焼強制停止手段による前記給湯メインバーナの燃焼停止後に、前記フローセンサ通電制御手段がフローセンサへの通電を停止することを特徴とする請求項６記載の燃焼装置。
【発明の詳細な説明】
【技術分野】
【０００１】
本発明は、給湯メインバーナを有して給湯先に給湯する機能を備えた燃焼装置に関するものである。
【背景技術】
【０００２】
図９には、本願発明者が開発中の燃焼装置が模式的なシステム図により示されている。なお、このシステム構成は、後述する実施例にも適用される。この燃焼装置は、例えば浴室に配置され、バランス型風呂釜と呼ばれている装置である。この装置は、口火用のパイロットバーナ３８と、給湯メインバーナ１０と、風呂の追い焚き用の風呂メインバーナ３９とを有しており、パイロットバーナ３８に供給される燃料ガスに点火するイグナイタ電極４３が設けられている。このイグナイタ電極４３および前記各バーナ３８，１０，３９は金属製のケースに覆われている燃焼室６０内に設けられており、燃焼室６０には、空気の吸気口（図示せず）と、バーナ３８，１０，３９の燃焼ガスの排気口１７とが設けられている。
【０００３】
なお、給湯メインバーナ１０には能力切り替えつまみ４９が設けられており、燃焼装置の使用時等に、能力切り替えつまみ４９の手動操作によって給湯メインバーナ１０の燃焼能力（バーナの燃焼本数切り替え）が設定されるが、その後は、設定された能力で燃焼が行われる。
【０００４】
風呂メインバーナ３９の上部側には、風呂メインバーナ３９によって加熱される風呂追い焚き熱交換器４０が設けられ、給湯メインバーナ１０の上部側には、給湯メインバーナ１０により加熱される給湯熱交換器７が設けられている。給湯熱交換器７の出側には給湯ハイリミットスイッチ４７が設けられており、風呂追い焚き熱交換器４０には風呂ハイリミットスイッチ４６が設けられている。なお、符号４５は、過熱防止装置を示す。
【０００５】
給湯熱交換器７には、該給湯熱交換器７に水を導入する給水導入通路１９と、給湯熱交換器７を通って加熱された水を給湯先に導く給湯通路１１とが接続されている。給湯通路１１の先端側には給湯栓９が設けられており、この例では、給湯栓９が切り替えレバー方式の栓で形成されている。この種の給湯栓９は、レバーの切り替えによって、給湯通路１１を通った湯を、カラン側の出湯管３０側とシャワー側通路３１のいずれかから選択的に出湯させるものであり、同図では、出湯管３０側から出湯されるように選択した状態が示されている。符号５７は逆止弁、５８は熱湯遮断弁をそれぞれ示す。
【０００６】
前記給水導入通路１９には、水量調節機構２１が接続されており、水量調節機構２１には、水ガバナー１５、ダイヤフラムケース（ダイヤフラム室）１３、水量調節室２０が設けられている。ダイヤフラムケース１３には、ダイヤフラム１４が設けられており、このダイヤフラム１４によって、ダイヤフラムケース１３内が、一次室１３ａと二次室１３ｂとに区分けされている。水量調節室２０には温度調節子２３が設けられており、温度調節子２３は、温度調節つまみ２２に接続されている。
【０００７】
また、水量調節機構２１には、水量調節機構２１に水を供給する給水通路８と、水量調節機構２１から水を導出する通路１６と、排水通路２４とが接続されている。給水通路８にはフィルタ２５とフローセンサ６とが介設されており、該フローセンサ６は、給湯通路１１に導入される湯水の湯量を検出する。排水通路２４には水抜き栓２６が設けられている。なお、フローセンサ６は、給水通路８に介設するとは限らず、給水通路８以外の、図９の破線で示す６ａ〜６ｃのいずれかの位置に設けてもよい。
【０００８】
前記給湯メインバーナ１０には、ガス供給手段としてのガス通路３２が接続されており、該ガス通路３２は、水圧応動ガス弁としての水圧自動ガス弁３３と、器具栓３４とを介し、ガス導入通路３５に接続されている。なお、符号５１は水自弁スイッチを示す。器具栓３４の下部側にはガスの電磁弁５４が設けられており、水圧自動ガス弁３３は、前記ダイヤフラム１４に連結して設けられている。
【０００９】
ガス導入通路３５は、燃料ガスを燃焼装置に外部から導入するものであり、ガス導入通路３５から導入される燃料ガスが、器具栓３４を介してガス通路３２を通り、給湯メインバーナ１０に供給される。また、器具栓３４には、ガス供給手段としてのガス通路３６，３７が接続されており、ガス導入通路３５から器具栓３４まで導入された燃料ガスが、ガス通路３６を通してパイロットバーナ３８に導入され、ガス通路３７を通して風呂メインバーナ３９に供給される構成を成している。
【００１０】
なお、同図には図示されていないが、パイロットバーナ３８の炎口の近傍には、炎口から出る炎の熱をその熱による起電力により検出する熱電対と、パイロットバーナ３８の炎を検出するためのフレームロッド電極とが設けられている。熱電対は電磁弁５４に電気的に接続されている。
【００１１】
前記器具栓３４は、器具栓つまみ（操作つまみ）４８とシャフト５０と手動開閉通路である閉子５３を有して形成され、器具栓つまみ４８の手動操作に応じてシャフト５０と閉子５３が図５の矢印に示すように、上下したり回転したりすることによって、手動により操作される。器具栓つまみ４８は、図８（ａ）に示すように、回動自在に形成されて、この例ではつまみの印が付いている側を「止」、「口火」、「給湯・シャワー」、「追いだき」のいずれかの位置に適宜合わせることにより、パイロットバーナ３８、給湯メインバーナ１０、風呂メインバーナ３９のうちの対応するバーナへの点火や着火が行われるようになっている。
【００１２】
以下、これらのバーナへの点火や着火動作について、図１０〜図１５を参照しながら簡単に説明する。シャフト５０には、図９に示すように、器具栓スイッチ５２（５２ａ，５２ｂ，５２ｃ）が設けられ、これらのスイッチは、マイクロスイッチにより形成されている。図１０のステップＳ１で、器具栓つまみ４８を「止」の位置において下側に押し下げると、器具栓つまみ４８と共にシャフト５０が下がり、器具栓スイッチ５２ａがオン（５２ａオン，５２ｂオフ，５２ｃオフ）する（表１も参照）。
【００１３】
【表１】
2012102975.tif 000003
【００１４】
そして、このときの押し下げ力により、電磁弁５４が開き（図１０のステップＳ２、参照）、燃料ガスがガス導入通路３５を通って器具栓３４の入口まで流入する。その状態で、図１０のステップＳ３で、器具栓つまみ４８を「口火」の位置に回していき、その回転に伴い、図８（ｂ）に示すように、その回転角度θ（「止」の位置とつまみの印との角度）が例えば３３°となると、燃料ガスは器具栓３４の閉子５３に形成された口火用通路を通り（口火用通路が開き）、図１０のステップＳ４のように、（口火用の）ガス通路３６が通じる（開く）ことになって、ガス通路３６に燃料ガスが導入されていき（つまり、器具栓３４が消火位置から点火位置に移動する間にガス通路３６から前記パイロットバーナ３８への燃料ガスの供給が開始し）、ガス通路３６の先端に設けられたパイロットノズルを経て、パイロットバーナ３８の一次空気孔から一次空気を吸引しながら炎口側（パイロットバーナヘッド）に流れる。
【００１５】
また、この燃料ガスの供給時に器具栓スイッチ５２ｃがオン（５２ａオン，５２ｂオフ，５２ｃオン）となり、図示されていない乾電池を電源とした、図示されていない燃焼制御部の制御によって、図１０のステップＳ６で、図示されていないイグナイタ（点火トランス）への通電が行われ、イグナイタ電極４３の火花によるパイロットバーナ３８への点火が行われる。つまり、器具栓つまみ４８を「止」の位置から「口火」の位置に移動させて、器具栓３４を消火位置から点火位置に移動させる点火操作が行われたときに、燃焼装置は、前記のような点火動作を行う。
【００１６】
なお、図９に示す燃焼装置において、器具栓つまみ４８を「口火」の位置に回して器具栓つまみ４８を放す（押し下げる力を除く）と、シャフト５０が元の位置に戻り、器具栓スイッチ５２ａはオフ（５２ａオフ，５２ｂオフ，５２ｃオン）となるが（表１、参照）、器具栓つまみ４８を「口火」の位置に回した直後は図示されていない燃焼制御部の制御によって電磁弁５４に電流が流されて強制開状態に保たれる（図１０のステップＳ７、参照）。その後、前記のようにパイロットバーナ３８の炎口近傍に設けられた熱電対（図示せず）の起電力が予め定められる電磁弁維持電圧以上になると、前記燃焼制御部の通電が停止される。すなわち、熱電対の起電力が発生する前の燃焼制御部の通電や、熱電対の起電力により、図１０のステップＳ１１で器具栓つまみ４８から手を離しても（押し下げる力を除いても）、電磁弁５４が開状態に保たれる（図１１のステップＳ２２、２３、参照）。ただし、電磁弁５４が開かれた直後には前記の如く電流を流すが、その通電は、熱電対の起電力が前記電磁弁維持電圧以上になると停止されるので、その後、熱電対の起電力が前記電磁弁維持電圧より下がると電磁弁５４が閉じる方向に動作する。
【００１７】
なお、電磁弁５４への通電や熱電対の起電力は、あくまで開状態に保つのみであり、器具栓つまみ４８を下側に押し下げていない状態で通電や熱電対の起電力相当を与えても開とはならない。また、熱電対を無くし、パイロットバーナ３８の燃焼中は、図示されていない燃焼制御部の制御によってのみの電流で開状態に保つようにしてもよい。
【００１８】
また、器具栓つまみ４８を「給湯・シャワー」や「追いだき」の位置に回していくと、燃料ガスが器具栓つまみ４８の回転角度に応じて閉子５３に形成されているガスメイン通路を通り、ガス通路３２，３７を通って給湯メインバーナ１０や風呂メインバーナ３９に供給される。例えば、図１２のステップＳ１で、器具栓つまみ４８を「口火」から「給湯・シャワー」の位置に移動すると、その移動の間に器具栓スイッチ５２ｂがオン（５２ａオフ，５２ｂオン，５２ｃオン）し、給湯栓９の開による（図１２のステップＳ７、参照）通水に応じて生じる差圧で開閉する水圧自動ガス弁３３の開によって（図１２のステップＳ８、参照）、パイロットバーナ３８の口火が給湯メインバーナ１０に着火する。
【００１９】
また、図１４に示すように、ステップＳ１で器具栓つまみ４８を「追いだき」の位置に移動させると、その移動の間に器具栓スイッチ５２ｃがオフし（５２ａオフ，５２ｂオン，５２ｃオフ）、ステップＳ２に示すように、ガス通路３７が通じる（開く）ことにより風呂メインバーナ３９にガスが供給されてパイロットバーナ３８の口火が風呂メインバーナ３９に着火する（ステップＳ３、参照）。
【００２０】
以上のように、器具栓つまみ４８を「口火」の位置から「給湯・シャワー」の位置に移動させて、器具栓３４を点火位置から給湯メインバーナ１０の着火位置に移動させる着火操作や、「口火」の位置から「追いだき」の位置に移動させて、器具栓３４を点火位置から風呂メインバーナ３９の着火位置に移動させる着火操作が行われたときに、燃焼装置は、前記のような着火動作を行う。
【００２１】
さらに、図１５に示すように、そのステップＳ１で、器具栓つまみ４８を「止」の位置に戻すと、器具栓スイッチ５２ｂ，５２ｃがいずれもオフしてガス通路３６が閉じ（ステップＳ２、参照）消火状態となる。また、ステップＳ３で、器具栓つまみ４８を手から離すことにより器具栓スイッチ５２ａもオフし、電磁弁５４も閉じる（ステップＳ４、参照）。なお、器具栓つまみ４８の「止」、「口火」、「給湯・シャワー」、「追いだき」の各位置における器具栓スイッチ５２ｂ，５２ｃのオン・オフの状態は、表２に示すようになる。また、器具栓スイッチ５２ａ，５２ｂ，５２ｃのオン・オフの状態は、図１１、図１２、図１５にも示されており、図１１、図１２、図１５において、器具栓つまみ４８の「給湯・シャワー」の表記を省略し、「給湯」と示している。燃焼装置において、器具栓つまみ４８の表記は、このように、「給湯・シャワー」の代わりに「給湯」としてもよい。
【００２２】
【表２】
2012102975.tif 000004
【先行技術文献】
【特許文献】
【００２３】
【特許文献１】特許第３８１２９２０号公報
【発明の概要】
【発明が解決しようとする課題】
【００２４】
ところで、従来は、フローセンサ６に常時連続して通電を行っていたが、このように通電を行うと、電力が無駄になるといった問題があった。特に、バランス型風呂釜は、水を使用する浴室内に設けられ、安全上の観点から商用電源を利用することが好ましくないので、最近では、バランス型風呂釜を商用電源に接続せずに、電池を電源として利用するようになり、その場合、前記のように、フローセンサ６に常時連続して通電を行っていると、直ぐに電池が消費されてしまい、電池交換が必要になる等、使い勝手も悪くなることがあった。
【００２５】
そこで、特許文献１には、給湯通路に、所定量の水が流れるとオンする流水スイッチを設け、その流水スイッチがオンしたときに、フローセンサへの通電をオンとする提案が成されているが、流水スイッチもフローセンサも共に流水量を検知するものであり、一つの燃焼装置内に同じ役割を果たすセンサとスイッチとを設けることは無駄であった。また、流水スイッチは、不純物が挟まると、水流が無くてもオン状態が継続してしまうので、その場合は、フローセンサ６に常時連続して通電が行われることになり、電池を電源とする場合には直ぐに電池が消費されてしまって電池交換が必要になるといった問題があった。
【００２６】
本発明は、前記従来の課題を解決するために成されたものであり、その目的は、フローセンサへの通電における無駄をなくし、電池交換等の手間も少なくすることができる燃焼装置を提供することにある。
【課題を解決するための手段】
【００２７】
本発明は上記目的を達成するために、次の構成をもって課題を解決する手段としている。すなわち、第１の発明は、給湯メインバーナと、該給湯メインバーナにより加熱される給湯熱交換器と、該給湯熱交換器により加熱された湯を給湯先に導出する給湯通路と、該給湯通路に導入される湯水の流量を検出するフローセンサとを有し、前記給湯先に設けられている給湯栓が開かれることにより生じる前記給湯通路内の流水による圧力変動を利用して開動作を行う水圧応動ガス弁が前記給湯メインバーナに供給される燃料ガスの通路に介設され、前記水圧応動ガス弁には該水圧応動ガス弁の開弁位置でオンし該水圧応動ガス弁の閉弁位置でオフするスイッチセンサが設けられており、該スイッチセンサがオフからオンに切り替わったときに前記フローセンサへの通電を開始するフローセンサ通電制御手段を設けた構成をもって課題を解決する手段としている。
【００２８】
また、第２の発明は、前記第１の発明の構成に加え、手動により操作される器具栓を有して、該器具栓の操作位置が給湯位置に操作されていることを検出する器具栓給湯位置検出手段を有し、フローセンサ通電制御手段は、前記器具栓給湯位置検出手段により器具栓の操作位置が給湯位置に操作されていることが検出され、かつ、水圧応動ガス弁に設けられたスイッチセンサがオフからオンに切り替わったときに前記フローセンサへの通電を開始することを特徴とする。
【００２９】
さらに、第３の発明は、給湯メインバーナと、該給湯メインバーナにより加熱される給湯熱交換器と、該給湯熱交換器により加熱された湯を給湯先に導出する給湯通路と、該給湯通路に導入される湯水の流量を検出するフローセンサとを有し、前記給湯先に設けられている給湯栓が開かれることにより生じる前記給湯通路内の流水による圧力変動を利用して開動作を行う水圧応動ガス弁が前記給湯メインバーナに供給される燃料ガスの通路に介設され、前記水圧応動ガス弁には該水圧応動ガス弁の開弁位置でオンし該水圧応動ガス弁の閉弁位置でオフするスイッチセンサが設けられており、該スイッチセンサがオンからオフに切り替わったときに前記フローセンサへの通電を開始するフローセンサ通電制御手段を設けた構成をもって課題を解決する手段としている。
【００３０】
さらに、第４の発明は、前記第３の発明の構成に加え、手動により操作される器具栓を有して、該器具栓の操作位置が給湯位置に操作されていることを検出する器具栓給湯位置検出手段を有し、フローセンサ通電制御手段は、前記器具栓給湯位置検出手段により器具栓の操作位置が給湯位置に操作されていることが検出され、かつ、水圧応動ガス弁に設けられたスイッチセンサがオンからオフに切り替わったときに前記フローセンサへの通電を開始することを特徴とする。
【００３１】
さらに、第５の発明は、給湯メインバーナと、該給湯メインバーナにより加熱される給湯熱交換器と、該給湯熱交換器により加熱された湯を給湯先に導出する給湯通路と、該給湯通路に導入される湯水の流量を検出するフローセンサと、前記給湯メインバーナの火炎を検出する給湯火炎検出手段とを有し、該給湯火炎検出手段により前記給湯メインバーナの火炎が検出されたときに前記フローセンサへの通電を開始するフローセンサ通電制御手段を設けた構成をもって課題を解決する手段としている。
【００３２】
さらに、第６の発明は、前記第１乃至第５のいずれか一つの発明の構成に加え、前記フローセンサ通電制御手段は、フローセンサへの通電を開始してからフローセンサへの通電を間欠的に行うことを特徴とする。
【００３３】
さらに、第７の発明は、給湯メインバーナと、該給湯メインバーナにより加熱される給湯熱交換器と、該給湯熱交換器により加熱された湯を給湯先に導出する給湯通路と、該給湯通路に導入される湯水の流量を検出するフローセンサと、手動により操作される器具栓とを有し、該器具栓の操作位置が給湯位置に操作されていることを検出する器具栓給湯位置検出手段を有して、該器具栓給湯位置検出手段により器具栓の操作位置が給湯位置に操作されていることが検出されたときに前記フローセンサへの通電を開始するフローセンサ通電制御手段を設けたことを特徴とする。
【００３４】
さらに、第８の発明は、前記第７の発明の構成に加え、前記風呂の追い焚き用の風呂メインバーナを有して、器具栓の操作位置が前記風呂メインバーナの追い焚き位置に操作されているときには前記風呂メインバーナの追い焚き燃焼が行われ、かつ、前記器具栓の操作位置が前記風呂メインバーナの追い焚き位置に操作されているときに前記給湯栓が開かれたときには給湯メインバーナの燃焼も行われる同時燃焼機能を有し、前記器具栓の操作位置が前記風呂メインバーナの追い焚き位置に操作されていることを検出する器具栓追い焚き位置検出手段を有し、フローセンサ通電制御手段は前記器具栓追い焚き位置検出手段により器具栓の操作位置が追い焚き位置に操作されていることが検出されたときにもフローセンサへの通電を行うことを特徴とする。
【００３５】
さらに、第９の発明は、前記第１乃至第６のいずれか一つの発明の構成に加え、前記給湯メインバーナの火炎を検出する給湯火炎検出手段を有し、フローセンサの検出流量が予め定められたセンサオフ流量以下になってから予め定められた設定時間経過後に前記給湯火炎検出手段により前記給湯メインバーナの火炎が検出されなかったときには、フローセンサ通電制御手段はフローセンサへの通電を停止することを特徴とする。
【００３６】
さらに、第１０の発明は、前記第１乃至第６のいずれか一つの発明の構成に加え、前記給湯メインバーナの火炎を検出する給湯火炎検出手段を有し、フローセンサの検出流量が予め定められたセンサオフ流量以下になってからその状態が予め定められた設定時間継続したときに前記給湯火炎検出手段により前記給湯メインバーナの火炎が検出されたときには該給湯メインバーナの燃焼を強制的に停止する燃焼強制停止手段を有し、フローセンサ通電制御手段は前記燃焼強制停止手段による前記給湯メインバーナの燃焼停止後にフローセンサへの通電を停止することを特徴とする。
【００３７】
さらに、第１１の発明は、前記第６の発明の構成に加え、前記給湯メインバーナの火炎を検出する給湯火炎検出手段を有し、フローセンサ通電制御手段は、フローセンサの検出流量が予め定められたセンサオフ流量以下になったときに前記給湯火炎検出手段により前記給湯メインバーナの火炎が検出されたときには、それ以降の前記フローセンサへの通電を連続的に行う構成とし、フローセンサの検出流量が予め定められたセンサオフ流量以下になってからその状態が予め定められた設定時間経過したときに前記給湯火炎検出手段により前記給湯メインバーナの火炎が検出されたときには該給湯メインバーナの燃焼を強制的に停止する燃焼強制停止手段を有して、該燃焼強制停止手段による前記給湯メインバーナの燃焼停止後に、前記フローセンサ通電制御手段がフローセンサへの通電を停止することを特徴とする。
【発明の効果】
【００３８】
本発明によれば、フローセンサ通電制御手段は、以下に述べるように、それぞれの発明において予め定められた、それぞれのフローセンサ通電開始条件に達したときにフローセンサへの通電を開始するので、通電が不要のときには通電を行わないようにすることができることから、フローセンサへの通電を常時連続して行う構成に比べ、省電力化が可能となり、電力の無駄を防げる。また、フローセンサの電源を電池とした場合には、その電池交換の頻度を少なくすることができ、使い勝手も良好にすることができる。また、フローセンサへの通電が必要なときには通電を行うことにより、給湯動作中に給湯通路の水流があることを確認して、その結果を安全対策に利用することができる。
【００３９】
例えば、水圧応動ガス弁に、該水圧応動ガス弁の開弁位置でオンし該水圧応動ガス弁の閉弁位置でオフするスイッチセンサを設け、該スイッチセンサがオフからオンに切り替わったときに、フローセンサ通電制御手段が、フローセンサへの通電を開始することによって、以下の効果を奏することができる。つまり、水圧応動ガス弁が開弁位置となって給湯バーナへの燃料供給が可能となり、給湯が開始される状態となったときにフローセンサへの通電を行うことにより、フローセンサによって給湯流量を検出することができる。そして、このフローセンサによる給湯流量検出により、給湯動作中に給湯通路の水流があることを確認できる。
【００４０】
また、手動により操作される器具栓の操作位置が給湯位置に操作されていることが検出され、かつ、水圧応動ガス弁に設けられたスイッチセンサがオフからオンに切り替わったときに、フローセンサ通電制御手段がフローセンサへの通電を開始することにより、より一層確実に、給湯が開始されるときにフローセンサへの通電を行うことができる。
【００４１】
さらに、水圧応動ガス弁に、該水圧応動ガス弁の開弁位置でオンし該水圧応動ガス弁の閉弁位置でオフするスイッチセンサを設け、該スイッチセンサがオンからオフに切り替わったときに、フローセンサ通電制御手段が、フローセンサへの通電を開始することによって、以下の効果を奏することができる。つまり、この構成は、給湯動作中にフローセンサへの通電を行うのではなく、スイッチセンサがオンからオフに切り替わって、給湯動作が停止された可能性があるときに初めてフローセンサへの通電を行う構成である。スイッチセンサの取り付け誤差により、水圧応動ガス弁は開弁状態であるのに、スイッチセンサがオフになることがある（つまり、スイッチセンサがオフでも実際には給湯動作が停止されていない場合がある）が、この構成により、スイッチセンサがオンからオフになったときにフローセンサへの通電を行うことにより、実際に給湯通路への水流があるかどうか（実際に給湯動作が停止されたかどうか）の確認を行うことができる。
【００４２】
さらに、手動により操作される器具栓の操作位置が給湯位置に操作されていることが検出されているときには、給湯動作中である可能性が高いので、このときに、水圧応動ガス弁に設けられたスイッチセンサがオンからオフに切り替わったときには、前記スイッチセンサの取り付け誤差により、スイッチセンサがオフになっても、水圧応動ガス弁は開弁状態である（給湯動作が停止されていない）可能性がある、このときに、フローセンサへの通電を行うことにより、給湯通路への水流があるかどうか（実際に給湯動作が停止されたかどうか）の確認を行うことができる。
【００４３】
さらに、給湯メインバーナの燃焼が行われているときには、給湯が行われている、または、給湯がこれから行われるときであるので、給湯メインバーナの火炎を検出する給湯火炎検出手段を設けて、該給湯火炎検出手段により前記給湯メインバーナの火炎が検出されたときに、フローセンサ通電制御手段がフローセンサへの通電を開始することにより、フローセンサによって給湯動作中の給湯流量を検出することができる。
【００４４】
さらに、フローセンサ通電制御手段が、前記のようなそれぞれのタイミングでフローセンサへの通電を開始してからフローセンサへの通電を間欠的に行うことにより、より一層省エネ化を図ることができる。
【００４５】
さらに、フローセンサ通電制御手段は、器具栓の操作位置が給湯位置に操作されていることが検出されたときにフローセンサへの通電を開始することにより、給湯が開始され得る状態となったときにフローセンサへの通電を行うことができる。また、風呂の追い焚き用の風呂メインバーナを有して、風呂メインバーナの追い焚き位置に操作されているときに給湯栓が開かれたときには給湯メインバーナの燃焼も行われる同時燃焼機能を有する装置においては、器具栓の操作位置が風呂メインバーナの追い焚き位置に操作されていることが検出されたときにもフローセンサへの通電を行うことにより、風呂メインバーナの追い焚き中に給湯が開始され得る状態となったときにもフローセンサへの通電を行うことができる。
【００４６】
さらに、フローセンサの検出流量が予め定められたセンサオフ流量より大きい値からセンサオフ流量以下になってから予め定められた設定時間後、給湯メインバーナの火炎が検出されなかったときに、フローセンサ通電制御手段がフローセンサへの通電を停止することにより、フローセンサの検出流量がセンサオフ流量以下になって給湯が終了したと判断され、かつ、給湯メインバーナの火炎が検出されずに、給湯メインバーナの燃焼も停止したことが判断されたときにフローセンサへの通電を停止できるので、安全を確認した後に、フローセンサへの通電を停止できる。
【００４７】
さらに、フローセンサの検出流量が予め定められたセンサオフ流量より大きい値からセンサオフ流量以下になってからその状態が予め定められた設定時間継続したときに、給湯メインバーナの火炎が検出されたときには、給湯メインバーナの燃焼停止後にフローセンサへの通電を停止することにより、以下のように安全に対処することができる。つまり、フローセンサの検出流量がセンサオフ流量以下になっても給湯メインバーナの燃焼が行われていたときには給湯メインバーナの燃焼を停止することにより、給湯通路を通る水量がセンサオフ流量以下の小さな値しかない（または全く流れていない）状態で給湯メインバーナの燃焼が継続することによって熱い湯が出湯されたり給湯熱交換器の空焚きが生じたりする危険を回避できる。そして、給湯メインバーナの燃焼停止後にフローセンサへの通電を停止できるので、安全を確認した後にフローセンサへの通電を停止できる。
【００４８】
なお、フローセンサのセンサオフ流量とは、例えば１．８リットル／分であり、この流量以下になると、たとえ給湯流量があってもフローセンサは検知しない（０の出力を出す）が、流量がセンサオフ流量より大きい状態からセンサオフ流量以下に下がっても、給湯メインバーナへの燃料ガスの供給は行われて給湯メインバーナの燃焼は行われる。例えば給湯能力８．５号の給湯メインバーナが、４段切り替え方式（４つのバーナを有して、１段目１本、２段目２本、３段目３本、４段目４本というように、燃料ガスを供給するバーナの段数（本数）を切り替える方式）で、給湯流量が３リットルより小さい場合に１段のバーナしか燃焼しないタイプのバーナを適用している場合（例えば、燃焼能力２〜２．１号）には問題はないが、３段切り替え方式で、１段目２本、２段目３本、３段目４本、というように、給湯流量が小さくても最低２本のバーナを燃焼させるタイプのバーナを適用する場合（例えば、燃焼能力４．１〜４．２号）には、例えば入水温度が１５℃のときに給湯流量が２リットル／分でも６５℃の湯がシャワーで出湯されてしまう。したがって、それより小さい１．８リットル／分以下の給湯流量で給湯メインバーナの燃焼が行われていると、さらに熱い湯が出湯されてしまう。
【００４９】
本発明は、このような、給湯流量が少ないときに熱い湯が出湯されてしまうおそれのあるタイプの給湯メインバーナを適用した場合であっても、給湯流量がフローセンサのセンサオフ流量以下の少ない流量で給湯メインバーナの燃焼が行われていたときには、その旨を検知して強制燃焼停止手段により給湯メインバーナの燃焼を強制的に停止することによって、前記の如く、熱い湯が出湯されてしまう危険を回避でき、安全性の高い燃焼装置とすることができる。
【００５０】
さらに、フローセンサへの通電を間欠的に行っていても、フローセンサの検出流量がセンサオフ流量以下になったときに、給湯火炎検出手段により給湯メインバーナの火炎が検出されたときには、それ以降の前記フローセンサへの通電を連続的に行うことにより、給湯メインバーナの燃焼が継続されている状態における給湯通路を流れる水量をきめ細やかに検出できる。そして、その後、フローセンサの検出流量がセンサオフ流量以下になっても給湯メインバーナの燃焼が行われていたときには、給湯メインバーナの燃焼を停止することにより、給湯通路を通る水量がセンサオフ流量以下の小さな値しかない（あるいは全く流れていない）状態で給湯メインバーナの燃焼が継続することによって熱い湯が出湯されたり給湯熱交換器の空焚きが生じたりする危険を回避できる。また、給湯メインバーナの燃焼停止後にフローセンサへの通電を停止できるので、安全を確認した後に、フローセンサへの通電を停止できる。
【図面の簡単な説明】
【００５１】
【図１】本発明に係る燃焼装置の第１、第２実施例の制御構成を示すブロック図である。
【図２】第１実施例におけるフローセンサへの通電動作と安全動作を説明するためのグラフである。
【図３】第２実施例におけるフローセンサへの通電動作と安全動作を説明するためのグラフである。
【図４】本発明に係る燃焼装置の第３実施例の制御構成を示すブロック図である。
【図５】本発明に係る燃焼装置の第４実施例の制御構成を示すブロック図である。
【図６】本発明に係る燃焼装置の第５実施例の制御構成を示すブロック図である。
【図７】給湯メインバーナと風呂メインバーナの同時燃焼可能な燃焼装置と同時燃焼不可能な燃焼装置における閉子のガス通路形成状態をそれぞれ説明するための図である。
【図８】燃焼装置の器具栓つまみの例を示す平面図である。
【図９】燃焼装置としてのバランス型風呂釜のシステム構成図である。
【図１０】実施例の燃焼装置の口火動作例を図１１と共に示すフローチャートである。
【図１１】実施例の燃焼装置の口火動作例を図１０と共に示すフローチャートである。
【図１２】実施例の燃焼装置の給湯動作例を図１３と共に示すフローチャートである。
【図１３】実施例の燃焼装置の給湯動作例を図１２と共に示すフローチャートである。
【図１４】実施例の燃焼装置の追い焚き動作例を示すフローチャートである。
【図１５】実施例の燃焼装置の消火動作例を示すフローチャートである。
【発明を実施するための形態】
【００５２】
以下、本発明の実施の形態を図面に基づき説明する。なお、本実施例の説明において、これまで説明した内容における構成要素と同一名称部分には同一符号を付し、その重複説明は省略または簡略化する。
【実施例１】
【００５３】
以下、本発明に係る燃焼装置の第１実施例について説明する。本実施例の燃焼装置は、図９に示した燃焼装置のシステム構成に、給湯側フレームロッド電極５を加えた構成を有している。給湯側フレームロッド電極５は、給湯メインバーナ１０の火炎を検出する給湯火炎検出手段として機能する。なお、本実施例を始めとし、以下の各実施例の燃焼装置は、電池式のみならず、商用電源に接続して用いられる燃焼装置にも適用できるものである。
【００５４】
図１に示すように、本実施例では、制御装置５５内に、フローセンサ通電制御手段６１、燃焼強制停止手段６２、回数検出手段（図示せず）を設けた制御構成を有している。また、本実施例において、水圧自動ガス弁スイッチ５１は、水圧自動ガス弁３３に設けられたマイクロスイッチにより形成されており、水圧自動ガス弁スイッチ５１は、水圧自動ガス弁３３の開弁位置でオンし、水圧自動ガス弁３３の閉弁位置でオフするスイッチセンサとして機能するものである。回数検出手段は、給湯メインバーナ１０への着火操作が行われた回数と、該着火操作が行われたにもかかわらず給湯メインバーナ１０に着火が行われなかった着火不良回数を検出する。
【００５５】
例えば、水圧自動ガス弁スイッチ５１がオンになると、着火動作が正常に行われたか否かを判断する給湯側フレームロッド電極５に通電が開始され、前記回数検出手段が、給湯メインバーナ１０への着火操作が行われたことを検出する。この場合、回数検出手段は、給湯メインバーナ１０に着火動作が正常に行われたか否かを給湯側フレームロッド電極５により検出し、水圧自動ガス弁スイッチ５１がオンで、かつ、給湯側フレームロッド電極５による炎検出が行われなかったときには、給湯メインバーナ１０に着火が行われなかったと判断し、給湯メインバーナ１０への着火不良回数として数える。また、回数検出手段は、水圧自動ガス弁スイッチ５１がオンで、かつ、給湯メインバーナ１０に着火が行われたと判断した場合には、給湯メインバーナ１０の使用回数として数える。さらに、水圧自動ガス弁スイッチ５１のオフを検出すると、給湯側フレームロッド電極５への通電を終了する。このように、水圧自動ガス弁スイッチ５１は、給湯側フレームロッド電極５への通電を開始させる役割や、前記回数検出手段によって、給湯メインバーナ１０の着火不良回数や使用回数を検出するための役割も担っている。
【００５６】
フローセンサ通電制御手段６１は、水圧自動ガス弁スイッチ５１のオン・オフ信号を取り込み、図２（ａ）のＡのタイミングに示すように、水圧自動ガス弁スイッチ５１がオフからオンに切り替わったときに、図２（ｂ）のＢ１に示すように、フローセンサ６への通電を開始する。また、フローセンサ通電制御手段６１は、図２（ｃ）のＣのタイミングに示すように、フローセンサ６の検出流量が予め定められたセンサオフ流量以下になってから、予め定められた設定時間経過後、例えば、図２（ｄ）のＤ１に示す時点で、給湯側フレームロッド電極５により給湯メインバーナ１０の火炎が検出されなかったときには、図２（ｂ）のＢ２に示すように、フローセンサ６への通電を停止する。
【００５７】
また、燃焼強制停止手段６２は、フローセンサ６の検出流量が予め定められたセンサオフ流量以下になってから、その状態が予め定められた設定時間継続したとき、例えば、図２（ｄ）の斜線部分に示すように、Ｄ１に示す時点を過ぎて、図２（ｄ）のＤ２に示す時点まで継続したときに、給湯側フレームロッド電極５により給湯メインバーナ１０の火炎が検出されたときには、強制的に電磁弁５４への通電をオフして給湯メインバーナ１０の燃焼を強制的に停止し、その停止信号をフローセンサ通電制御手段６１に加える。なお、この際に、異常状態であることを報知する報知手段を設けて、異常状態報知を行うようにしてもよく、この異常状態報知動作は、本実施例および以下の各実施例において同様に行ってもよい。
【００５８】
フローセンサ通電制御手段６１は、燃焼強制停止手段６３による給湯メインバーナ１０の燃焼停止後に、その信号を受けて、図２（ｂ）のＢ３に示すように、フローセンサ６への通電を停止する。なお、図２（ｂ）の斜線部分は、フローセンサ６の検出流量が予め設定されたセンサオフ流量以下となった後に、給湯メインバーナ１０の火炎が検知されたときには、その炎検知が行われている間、フローセンサ６に通電している状態を分かりやすくするために示したものである。
【００５９】
また、第１実施例の変形例として、図１の破線に示すように、制御装置５５内に器具栓給湯位置検出手段６３を設け、器具栓給湯位置検出手段６３が器具栓スイッチ５２（５２ａ，５２ｂ，５２ｃ）の検出信号を取り込んで、器具栓３４の操作位置が給湯位置に操作されている（器具栓つまみ４８が「給湯・シャワー」の位置に操作されている）ことを検出し、かつ、水圧自動ガス弁スイッチ５１がオフからオンに切り替わったときにフローセンサ６への通電を開始する構成としてもよい。
【００６０】
次に、本発明に係る燃焼装置の第２実施例について説明する。第２実施例は前記第１実施例と同様に、図１に示した制御構成を有しているが、第２実施例では、フローセンサ通電制御手段６１は、図３（ａ）のＡに示すように、水圧自動ガス弁スイッチ５１がオンからオフに切り替わったときに、図３（ｂ）のＢ１に示すように、フローセンサ６への通電を開始する構成としている。このように、第２実施例では、フローセンサ通電制御手段６１によるフローセンサ６への通電開始タイミングを前記第１実施例と異なる構成にしているが、それ以外の構成は前記第１実施例と同様であるので、その説明は省略する。なお、図３においても、斜線部分は図２における斜線部分と同様の状態を示している。また、図３（ｄ）のＤ１と図３（ｂ）のＢ２とのずれや、図３（ｄ）のＤ２と図３（ｂ）のＢ３とのずれは、給湯メインバーナ１０の火炎が本当に消えているかどうかの判断時間分だけＤ１、Ｄ２よりもＢ２、Ｂ３が遅くなることを示している。
【００６１】
なお、第２実施例でも、その変形例として、図１の破線に示すように、制御装置５５内に器具栓給湯位置検出手段６３を設け、器具栓給湯位置検出手段６３が器具栓スイッチ５２（５２ａ，５２ｂ，５２ｃ）の検出信号を取り込んで、器具栓３４の操作位置が給湯位置に操作されていることを検出し、かつ、水圧自動ガス弁スイッチ５１がオンからオフに切り替わったときに、フローセンサ６への通電を開始する構成とすることもできる。
【００６２】
次に、本発明に係る燃焼装置の第３実施例について説明する。第３実施例は、図４に示す制御構成を有しており、フローセンサ通電制御手段６１は、給湯側フレームロッド電極５により給湯メインバーナ１０の火炎が検出されたときにフローセンサ６への通電を開始する。なお、第３実施例において、燃焼強制停止手段６３の構成や動作、フローセンサ通電制御手段６１によるフローセンサ６への通電停止制御構成および動作は前記第１、第２実施例と同様であるので、その説明は省略する。
【００６３】
次に、本発明に係る燃焼装置の第４実施例について説明する。第４実施例は、図５に示す制御構成を有しており、制御装置５５内に器具栓給湯位置検出手段６３を設け、該器具栓給湯位置検出手段６３により器具栓３４の操作位置が給湯位置に操作されていることが検出されたときに、その検出信号をフローセンサ通電制御手段６１が受けて、フローセンサ６への通電を開始する。また、第４実施例において、燃焼強制停止手段６２の構成および動作は、前記第１〜第３実施例と同様であるので、その説明は省略する。
【００６４】
次に、本発明に係る燃焼装置の第５実施例について説明する。第５実施例は、給湯と追い焚きの同時燃焼機能を有する装置である。つまり、第５実施例において、器具栓３４の操作位置が、風呂メインバーナ３９の追い焚き位置に操作されているときには、風呂メインバーナ３９の追い焚き燃焼が行われるが、それに加えて器具栓３４の操作位置が風呂メインバーナ３９の追い焚き位置に操作されているときに給湯栓９が開かれたときには、給湯メインバーナ１０の燃焼も行われる、同時燃焼機能を有している。この同時燃焼機能を設けるために、第５実施例では、給湯メインバーナ１０にガスを導くために閉子５３に形成されているスリット（ガスメイン通路）の形成形態を以下のような形態としている。
【００６５】
つまり、図７（ａ）、（ｂ）には、図９に示したようなシステム構成を有する燃焼装置において、閉子５３に形成された各バーナ（パイロットバーナ３８、給湯メインバーナ１０、風呂メインバーナ３９）に通じる３つのスリット（口火用通路、ガスメイン通路）の形成状態が、器具栓つまみ４８の操作位置に対応させて、スリット有、無の表示によって示されているが、第５実施例では、スリットの形態を図７（ａ）に示すような前記同時燃焼機能を有する形態とし、図７（ｂ）に示すような、同時燃焼機能を有していない燃焼装置における形態とは異なる形態としている。
【００６６】
具体的には、図７（ａ）、（ｂ）に示すように、いずれの燃焼装置においても、器具栓つまみ４８の操作位置が「止」の位置においては、スリット無と示されているように、閉子５３は、該閉子５３に形成されているスリットがいずれのバーナ３８，１０，３９にも通じない位置にある。そして、器具栓つまみ４８の操作位置を「口火」の位置にすると、閉子５３は、パイロットバーナ用のスリット（口火用通路）がパイロットバーナ３８に通じる位置に回転する（図７では、スリット有と示している）。このパイロットバーナ用のスリットは、器具栓つまみ４８の操作位置が「給湯・シャワー」の位置に操作されているときにも「追いだき」の位置に操作されているときにもパイロットバーナ３８に通じている。
【００６７】
また、器具栓つまみ４８の操作位置が「給湯・シャワー」の位置に操作されると、パイロットバーナ用のスリットがパイロットバーナ３８に通じていることに加え、給湯メインバーナ用のスリットが給湯メインバーナ１０に通じるようになる。なお、図７において、スリットの大きさに対応する表示は行っていないが、パイロットバーナ用スリットに比べ、給湯メインバーナ用スリットと風呂メインバーナ用スリットは共に大きく形成されている。
【００６８】
そして、器具栓つまみ４８の操作位置が「追いだき」の位置に操作されると、図７（ｂ）に示すような、前記同時燃焼機能を有していない燃焼装置においては、給湯メインバーナ用のスリットは給湯メインバーナ１０に通じないようになり、その代わりに、風呂メインバーナ用のスリットが風呂メインバーナ３９に通じるようになるのに対し、図７（ａ）に示すように、前記同時燃焼機能を有する燃焼装置においては、給湯メインバーナ用のスリットが給湯メインバーナ１０に通じた状態のまま、風呂メインバーナ用のスリットが風呂メインバーナ３９に通じるようになるため、この状態で給湯栓９が開かれると、給湯メインバーナ１０の燃焼が可能となる。なお、このような給湯と追い焚きの同時燃焼機能を有する燃焼装置は、前記第１〜第４実施例においても適用できる。
【００６９】
第５実施例は、図６に示す制御構成を有しており、前記第４実施例の構成と同様の構成および機能を有し、さらに、制御装置５５内に器具栓追い焚き位置検出手段６４を設けて形成されている。この器具栓追い焚き位置検出手段６４は、器具栓スイッチ５２のオン・オフ信号に基づき、器具栓３４の操作位置が追い焚き位置に操作されていることを検出する。そして、フローセンサ通電制御手段６１は、器具栓追い焚き位置検出手段６４により器具栓の操作位置が追い焚き位置に操作されていることが検出されたときにも、その検出信号をフローセンサ通電制御手段６１が受けて、フローセンサ６への通電を行う。
【００７０】
なお、第４、第５実施例において、燃焼強制停止手段６２の構成やフローセンサ通電制御手段６１によるフローセンサ６への通電停止制御構成は前記第１〜第３実施例と同様にしてもよいが、第４実施例の場合に、フローセンサ通電制御手段６１によってフローセンサ６への通電停止が行われても、器具栓つまみ４８が「給湯・シャワー」の位置に操作されている状態が継続していると（第５実施例においては、器具栓つまみ４８が「追いだき」の位置に操作されている状態が継続している場合にも）、直ぐにフローセンサ６への通電が開始されてしまうことになるので、通電停止構成は、例えば以下のように、タイマーを設けて制御するとよい。
【００７１】
つまり、第４実施例の場合には、例えば、器具栓つまみ４８が給湯位置となって（口火から給湯位置に変わって）から例えば１分後にオフすることにしたり、給湯メインバーナ１０の火炎が検出されなくなってから例えば１分後にオフすることにしたりする等、タイマーを設けて制御するとよい。また、第５実施例の場合には、器具栓つまみ４８が追い焚き位置となって（給湯位置から追い焚き位置に変わって）から例えば１分後にオフすることにしたり、給湯メインバーナ１０の火炎が検出されなくなってから例えば１分後にオフすることにしたりする等、タイマーを設けて制御するとよい。なお、これらのように、タイマーでオフされた後は、水圧自動ガス弁スイッチ５１のオン、オフに連動して、フローセンサ６への通電をオン、オフするようにしてもよい。また、給湯側フレームロッド電極５による給湯メインバーナ１０の火炎の検出有無により、フローセンサ６への通電をオン、オフ（通電有りでオン、通電無しでオフ）するようにしてもよい。
【００７２】
なお、本発明は、前記実施例に限定されるものでなく、適宜設定されるものである。例えば、前記各実施例では、フローセンサ通電制御手段６１は、フローセンサ６への通電を開始してから該フローセンサ６への通電を連続的に行うようにしたが、フローセンサ６への通電を連続的に行わずに、間欠的に行うようにしてもよい。
【００７３】
また、このように、フローセンサ６への通電を間欠的に行う構成においても、フローセンサ通電制御手段６１は、フローセンサ６の検出流量が予め定められたセンサオフ流量より大きい値からセンサオフ流量以下になったときに、給湯側フレームロッド電極５により給湯メインバーナ１０の火炎が検出されたときには、それ以降のフローセンサ６への通電を連続的に行う構成として、燃焼強制停止手段６２の構成および動作や、フローセンサ通電制御手段６１によるフローセンサ６への通電停止制御構成および動作は、前記第１〜第３実施例と同様にしてもよい。
【００７４】
さらに、燃焼強制停止手段６２の構成および動作や、フローセンサ通電制御手段６１によるフローセンサ６への通電停止制御構成および動作は、前記第１実施例で示した構成や動作と異なる態様とすることもできる。
【００７５】
さらに、前記第１〜第４実施例の形態は、給湯メインバーナ１０と風呂メインバーナ３９のうち、給湯メインバーナ１０のみを有している燃焼装置にも適用できる。
【００７６】
さらに、前記実施例では、スイッチセンサは、マイクロセンサにより形成した水圧自動ガス弁スイッチとしたが、スイッチセンサは、リードスイッチ等により形成してもよい。
【産業上の利用可能性】
【００７７】
本発明は、フローセンサへの通電の無駄をなくすことができ、電池交換等の手間を省けるので使い勝手もよいので、例えば家庭用の燃焼装置として利用できる。
【符号の説明】
【００７８】
５      給湯側フレームロット電極
６      フローセンサ
１０    給湯メインバーナ
３８    パイロットバーナ
３９    風呂メインバーナ
５１    水圧自動ガス弁スイッチ
５２    器具栓スイッチ
６１    フローセンサ通電制御手段
６２    燃焼強制停止手段
６３    器具栓給湯位置検出手段
６４    器具栓追い焚き位置検出手段
【図１】
2012102975.tif 000005
【図２】
2012102975.tif 000006
【図３】
2012102975.tif 000007
【図４】
2012102975.tif 000008
【図５】
2012102975.tif 000009
【図６】
2012102975.tif 000010
【図７】
2012102975.tif 000011
【図８】
2012102975.tif 000012
【図９】
2012102975.tif 000013
【図１０】
2012102975.tif 000014
【図１１】
2012102975.tif 000015
【図１２】
2012102975.tif 000016
【図１３】
2012102975.tif 000017
【図１４】
2012102975.tif 000018
【図１５】
2012102975.tif 000019